(57)【特許請求の範囲】
【請求項１】
カメラの結像光学系からの光束を分割する光路分割手段と、前記光路分割手段によりファインダー側へ分割されたファインダー系において光の進行方向に向かって光路分割手段から一次結像面までの間に配置された一つの平面よりなる反射面と、一次結像面以降に配置された像正立のためのプリズム系と、接眼光学系とを含み、前記像正立のためのプリズム系が一つのプリズムブロック内に光の進行方向に向かって入射面と一平面からなる反射面と、ダハ面による反射面と射出面とを有し、前記入射面と前記一平面からなる反射面との間の光路と前記ダハ面による反射面と前記射出面との間の光路とが前記プリズム内で交差するように構成され、下記条件（１）、（２）、（９）、（１０）を満足することを特徴とする一眼レフレックス方式の電子撮像カメラ用ファインダー。
（１）    １．５５＜Ｎ1
（２）    ０．３＜Ｄ／ｆe ＜０．６
（９）      ０．８＜Ｌ22／Ｌ21＜２．０
（１０）    ２０°＜θ1 ＜３５°
ただし、Ｎ1 は像正立のためのプリズム系の媒質の屈折率、Ｄは撮像素子の有効撮像領域の対角長、ｆe は接眼光学系の焦点距離、Ｌ21は前記ペンタダハプリズムの入射面から一平面からなる反射面までの光軸上の距離、Ｌ22はペンタダハプリズムのダハ面による反射面から射出面までの光軸上の距離、θ1 は前記ペンタダハプリズム入射面から一平面からなる反射面までの光軸と一平面からなる反射面の法線とのなす角である。
【請求項２】
下記条件（１−１）を満足することを特徴とする請求項１のファインダー。
（１−１）    １．６０＜Ｎ1
【請求項３】
下記条件（２−１）を満足することを特徴とする請求項１又は２のファインダー。
（２−１）    ０．３３＜Ｄ／ｆe ＜０．５５
【請求項４】
下記条件（２−２）を満足することを特徴とする請求項１又は２のファインダー。
（２−２）    ０．３５＜Ｄ／ｆe ＜０．５
【請求項５】
下記条件（９−１）、（１０−１）を満足することを特徴とする請求項１、２、３又は４のファインダー。
（９−１）      ０．９＜Ｌ22／Ｌ21＜１．７
（１０−１）    ２２°＜θ1 ＜３３°
【請求項６】
下記条件（９−２）、（１０−２）を満足することを特徴とする請求項１、２、３又は４のファインダー。
（９−２）      １．０＜Ｌ22／Ｌ21＜１．５
（１０−２）    ２４°＜θ1 ＜３２°
【請求項７】
カメラの結像光学系からの光束を反射側の撮像素子側と透過側のファインダー側とに分割するための光路分割プリズムを有し、前記光路分割プリズムを透過したファインダー系が光の進行方向に向かって前記光路分割プリズムから一次結像面までの間の配置されたダハ面による反射面を含むプリズムと、一次結像面以降に配置された一平面からなる反射面を２面含むプリズムブロックと接眼レンズとを含み、前記一次結像面より射出側のプリズムの２つの前記一平面からなる反射面の相互のなす角は４５°以上であり、前記ファインダー系の光路が前記プリズムブロック内にて交差し、前記カメラの結像光学系の光軸と前記ダハ稜線とを含む平面と前記一次結像面の有効視野の長辺とがほぼ直交するように構成され、下記条件（３）、（４）、（５）、（６）を満足する一眼レフレックス方式の電子撮像カメラ用ファインダー。
（３）    １．５５＜Ｎ2 ，Ｎ3
（４）    ０．４＜Ｄ／ｆe ＜０．８
（５）    １．０＜Ｌ20／Ｌ10＜２．０
（６）    ０．６＜Ｌ12／Ｌ11＜１．２
ただし、Ｎ2 はダハ面による反射面を含むプリズム系の媒質の屈折率、Ｎ3 はプリズムブロックの媒質の屈折率、Ｄは撮像素子の有効撮像領域の対角長、ｆe は接眼光学系の焦点距離、Ｌ10はダハ面による反射面を含むプリズム系の入射面から射出面までの光軸上の実距離、Ｌ20は一次結像面以降のプリズム系の入射面から射出面までの光軸上の実距離、Ｌ11はダハ面による反射面を含むプリズム系の入射面からダハ稜線までの光軸上の実距離、Ｌ12はダハ稜線から射出面までの軸上の実距離である。
【請求項８】
下記条件（４−１）を満足することを特徴とする請求項７のファインダー。
（４−１）    ０．４３＜Ｄ／ｆe ＜０．７５
【請求項９】
下記条件（４−２）を満足することを特徴とする請求項７のファインダー。
（４−２）    ０．４５＜Ｄ／ｆe ＜０．７
【請求項１０】
下記条件（５−１）、（６−１）を満足することを特徴とする請求項７〜９のいずれか１項に記載のファインダー。
（５−１）    １．２＜Ｌ20／Ｌ10＜１．９
（６−１）    ０．６５＜Ｌ12／Ｌ11＜１．０
【請求項１１】
下記条件（５−２）、（６−２）を満足することを特徴とする請求項７〜９のいずれか１項に記載のファインダー。
（５−２）    １．４＜Ｌ20／Ｌ10＜１．８
（６−２）    ０．７＜Ｌ12／Ｌ11＜０．９
【請求項１２】
下記条件（７）を満足することを特徴とする請求項８、９、１０又は１１のファインダー。
（７）    −０．１５＜Ｎ2 −Ｎ0 ＜０．３
−０．１５＜Ｎ3  −Ｎ0  ＜０．３
ただし、Ｎ0 は光路分割プリズムの媒質の屈折率、Ｎ2 はダハ面による反射面を含むプリズム系の屈折率、Ｎ3は一次結像面以降のプリズム系の屈折率である。
【請求項１３】
下記条件（７−１）を満足することを特徴とする請求項１２のファインダー。
（７−１）    −０．１＜Ｎ2 −Ｎ0＜０．２５
−０．１＜Ｎ3 −Ｎ0＜０．２５
【請求項１４】
下記条件（７−２）を満足することを特徴とする請求項１３のファインダー。
（７−２）    ０＜Ｎ2 −Ｎ0＜０．２
０＜Ｎ3 −Ｎ0＜０．２
【請求項１５】
光路分割プリズムが二つのガラスブロックの間に平面状半透膜を挟み接合した構成で、半透膜の法線が結像光学系の光軸に対して４０°以下であることを特徴とする請求項１、２、３、４、５、６、７、８、９、１０、１１、１２、１３又は１４のファインダー。
【請求項１６】
光路分割プリズムの入射面より入射し半透膜にて反射された光束の光路が入射面にて全反射した後に光路分割プリズムの撮像素子側の射出面より射出するようにしたことを特徴とする請求項１５のファインダー。
【請求項１７】
半透膜の反射率が５０％以上であることを特徴とする請求項１５又は１６のファインダー。
【請求項１８】
請求項１、２、３、４、５、６、７、８、９、１０、１１、１２、１３、１４、１５、１６又は１７のファインダーを備えたカメラ。
【発明の詳細な説明】
【０００１】
【発明の属する技術分野】
本発明は、ＣＣＤなどの電子撮像素子を用いた一眼レフレックスカメラに適したファインダーで、特に像正立手段に特徴を有するファインダーに関するものである。
【０００２】
【従来の技術】
近年、銀塩フィルムカメラ（通称ライカ版カメラ）に代わる次世代のカメラとしてデジタルカメラ（電子カメラ）が注目されている。このデジタルカメラの撮像素子として用いられるＣＣＤの大きさは、銀塩３５mmフィルムと比べると対角長で数分の１から１０数分の１程度である。そのため、この種のカメラにおいて一眼レフレックス方式を導入する場合、ファインダー系の接眼光学系の倍率を高くする必要があり、そのためにはファインダー系の焦点距離を短くしなければならない。
【０００３】
【発明が解決しようとする課題】
しかし、瞳径およびアイポイントは、ファインダー系の接眼光学系の焦点距離にかかわらず一定であり、また視野角も一眼レフレックスカメラ用として十分に広く確保する必要があり、像正立光学系内での有効断面積が大きくなる。この様な状態で、像正立光学系をプリズムにより構成するためには、光路長が長くならざるを得ず、接眼光学系のパワー配置に大きな負担がかかりファインダーの見えにかかわる諸収差が悪化する。
【０００４】
この問題を解決するためには、極力光路長が短くなるようなプリズムの構成と収差補正に有利なパワー配置やレンズ構成とレンズ形状を考慮する必要がある。
【０００５】
本発明は、諸収差が良好に補正されかつ高倍率で広視野角の接眼光学系を備えた簡単な構成のコンパクトな一眼レフレックス方式の電子撮像カメラ用ファインダーを提供するものである。
【０００６】
【課題を解決するための手段】
本発明のファインダーは、カメラの結像光学系からの光束を撮像素子側とファインダー系側とに分割するためのプリズム等の光路分割部材を有し、この光路分割部材の反射側が撮像面への光路であり透過側がファインダー側への光路であり、この透過側であるファインダー系は、光の進行方向に向かって、光路分割部材から一次結像面までの間に一平面からなる一つの反射面を含み、一次結像面以降に像正立のためのプリズム系と接眼光学系を配置し、像正立のためのプリズム系が一つのプリズムブロック内に光の進行方向に向かって入射面と一平面からなる反射面とダハ面よりなる反射面と射出面を有し、入射面と一平面よりなる反射面との間の光路とダハ面と射出面との間の光路とがプリズム内で交差していることを特徴とする。
【０００７】
高倍率の接眼光学系は、焦点距離が短く、そのために一次結像面から接眼光学系の物体側主点までの長さが短い。したがって、このような高倍率の接眼光学系を用いてファインダー系を構成する場合、像正立光学系の光路長も短くする必要がある。
【０００８】
本発明のファインダー（第１の構成）は、像正立のための光路長を短くするために像正立光学系内の有効断面積を小にするようにした。
【０００９】
像正立光学系として、従来から一眼レフレックスカメラに広く用いられてきたいわゆるペンタダハプリズムを用いてファインダー系を構成する場合、接眼光学系の焦点距離に合わせてペンタプリズムを小さくするようにした。しかし、観察者の瞳位置や瞳径、又、接眼光学系からペンタプリズムまでの距離は接眼光学系の焦点距離にかかわらず一定であり、ペンタダハプリズムの射出断面積が不足する。
【００１０】
このようにペンタダハプリズムの射出断面積が小さいのは、その断面形状がダハ状つまり二等辺三角形状になっているためである。一方、ペンタダハプリズムの入射面側は、撮像面（一次結像面）の大きさでほぼ決まるため断面積は小さくてもよい。更に、入射面側の断面積はダハ部による制約を受けない。
【００１１】
以上の点をもとに、本発明は、ライカサイズ一眼レフレックスカメラのペンタダハプリズムの入射面側と射出面側とを逆転させて用いることによりペンタダハプリズムの有効断面積の大きさを維持しながらファインダー全体の小型化を達成するようにしたものである。
【００１２】
即ち、本発明のファインダーは、カメラの結像光学系からの光束を撮像素子側とファインダー系側とに分割するためのプリズム等の光路分割部材を備え、この光路分割部材の反射側が撮像面への光路で、透過側がファインダー光路であり、このファインダー系は、光の進行方向に向かってまず一次結像面までに一平面のみからなる反射面を含み、一次結像面以降には像正立のためのプリズム系と接眼光学系とが配置され、像正立光学系が一つのプリズムブロック内に光の進行方向に向って入射面と一平面からなる反射面と、ダハ面による反射面と射出面とを有しており、入射面と一平面からなる反射面との間の光路とダハ面による反射面と射出面との間の光路とがプリズム内で交差するように構成され、下記の条件（１）、（２）を満足することを特徴とする。
（１）    １．５５＜Ｎ1
（２）    ０．３＜Ｄ／ｆe ＜０．６
ただし、Ｎ1 はプリズム系の媒質の屈折率、Ｄは撮像素子の有効撮像領域の対角長、ｆe は接眼レンズの焦点距離である。
【００１３】
条件（１）は、前記の一次結像面以降の像正立のためのプリズム系の媒質の屈折率Ｎ1を規定するものである。
【００１４】
この条件（１）の下限の１．５５を超えると一次結像面以降の光路長が長くなり、その接眼光学系の焦点距離が長くなり、ファインダー像が小さくなり好ましくない。また、条件（１）の下限値が１．６０であることが一層望ましい。つまり、条件（１）の代りに下記条件（１−１）を満足すれば一層望ましい。
（１−１）    １．６０＜Ｎ1
【００１５】
また条件（２）は撮像素子の有効撮像領域の対角長Ｄと接眼光学系の焦点距離ｆeの比を規定したものである。この条件（２）の下限の０．３を超えるとファインダー像が小さくなり好ましくない。また条件（２）の上限の０．６を超えるとファインダー像は大きく好ましいが、現存する高い屈折率媒質材料を用いてかつ視度調整のためのスペースを設けないようにしても周辺の光線がけられ好ましくない。
【００１６】
以上述べた本発明のファインダーにおいて、前記条件（２）の代りに次の条件（２−１）を満足すれば、つまり下記条件（１）、（２−１）を満足すればより好ましい。
（１）        １．５５＜Ｎ1
（２−１）    ０．３３＜Ｄ／ｆe ＜０．５５
【００１７】
更に下記条件（２−２）を満足すれば一層望ましい。
（２−２）    ０．３５＜Ｄ／ｆe ＜０．５
【００１８】
また、上記条件の外に下記条件（８）、（９）、（１０）のうちの少なくとも一つの条件を満足すれば好ましい。
（８）      ０．６＜Ｌ／（ｎp ×ｆe ）＜１．４
（９）      ０．８＜Ｌ22／Ｌ21＜２．０
（１０）    ２０°＜θ1 ＜３５°
ただし、Ｌは前記ペンタダハプリズムの入射面から射出面までの光軸上の距離、ｎp は前記ペンタダハプリズムの媒質の屈折率、Ｌ21は前記ペンタダハプリズムの入射面から一平面からなる反射面までの光軸上の距離、Ｌ22はペンタダハプリズムのダハ面による反射面から射出面までの光軸上の距離、はθ1 は前記ペンタダハプリズム入射面から一平面からなる反射面までの光軸と一平面からなる反射面の法線とのなす角である。
【００１９】
条件（８）は、ペンタダハプリズムの光路長を規定するためのものである。Ｌ／（ｎp ×ｆe ）の値が条件（８）の上限の１．４を超えると高倍率の接眼光学系を構成することが困難になる。また下限の０．６を超えるとペンタダハプリズムを構成するのが困難になる。
【００２０】
条件（９）、（１０）は、プリズム形状の最適化のための条件である。これら条件（９）、（１０）の上限又は下限のいずれかを外れると条件（８）を満足しても主要な光線がけられファインダー像の周辺にかげりが生じたりゴーストが発生しやすくなり好ましくない。
【００２１】
上記条件（８）、（９）、（１０）の代りに下記条件（８−１）、（９−１）、（１０−１）を満足するようにすればより望ましい。
（８−１）      ０．７＜Ｌ／（ｎp ×ｆe ）＜１．２
（９−１）      ０．９＜Ｌ22／Ｌ21＜１．７
（１０−１）    ２２°＜θ1 ＜３３°
【００２２】
更に下記（８−２）、（９−２）、（１０−２）を満足すれば最も望ましい。
（８−２）      ０．８＜Ｌ／（ｎp ×ｆe ）＜１．０
（９−２）      １．０＜Ｌ22／Ｌ21＜１．５
（１０−２）    ２４°＜θ1 ＜３２°
【００２３】
また本発明のファインダーの他の構成は、カメラの結像光学系からの光束を撮像素子側とファインダー系側とに分割する光路分割部材を備え、プリズム等よりなる光路分割部材の反射側が撮像面への光路でありまた透過側がファインダー光路（ファインダー系）であり、ファインダー系が光の進行方向に向かって光路分割部材と一次結像面までの間に配置されたダハ面による反射面と、一次結像面以降に配置された一平面からなる反射面を２面含むプリズムブロックと、接眼光学系とが配置されかつ光路がプリズムブロック内にて交差したことを特徴とする。
【００２４】
上記ファインダーにおいて、カメラの結像光学系の光軸とダハ稜線とを含む平面と撮像素子の長辺とがほぼ直交するように配置することが望ましい。つまり、このファインダーにおいて視野の短辺側に光路を折り曲げることが望ましい。
【００２５】
この第２の構成のファインダーは、第１の構成のファインダーに比べて一次結像面から接眼光学系の物体側主点までの光路長をより短くするためにペンタダハプリズムのダハ面による反射面を一平面からなる反射面に置き換え、かつ一次結像面までのひとつのみの一平面からなる反射面をダハ面による反射面に置き換えたものである。このような構成にした場合、光路はダハ稜線で鋭角に反射され、一次結像面より射出側のプリズムの二つの一平面からなる反射面の相互のなす角は４５°以上が好ましい。これによりプリズム有効断面積を小さくでき光路をより短くすることが容易になる。
【００２６】
一方、新たにダハ面が入った結像光学系の最終面と一次結像面までの間の光路長を長くする必要がある。つまり、結像光学系の最終面頂から近軸像点までの空気換算距離を撮像素子の有効画面サイズの対角長の１．５倍以上にすることが望ましく、１．５倍以下の場合、一次結像面を、ダハ面による反射面を有するプリズムの射出面以降に形成できなくなる。
【００２７】
また、この第２の構成のファインダーにおいて、下記条件（３）、（４）を満足することが望ましい。
（３）    １．５５＜Ｎ2 、Ｎ3
（４）    ０．４＜Ｄ／ｆe ＜０．８
ただし、Ｎ2 はダハ面による反射面を含むプリズム系の媒質の屈折率、Ｎ3 は一次結像面以降のプリズム系の媒質の屈折率、Ｄは撮像素子の有効撮像領域の対角長、ｆe は接眼光学系の焦点距離である。
【００２８】
条件（３）はダハ面による反射面を含むプリズム系の媒質の屈折率Ｎ2 と一次結像面以降のプリズム系の媒質の屈折率Ｎ3を規定したものである。
【００２９】
条件（３）において、Ｎ2が下限の１．５５を超えると光路分割以降の一次結像面までの光路長が長くなり、そのためカメラの光学系のバックフォーカス長を長くする必要があり、結像光学系の性能を確保する上で好ましくない。またＮ2 の値が１．６５以上であれば更に望ましい。つまり条件（３）の代りに次の条件（３−１）を満足することがより望ましい。
（３−１）    １．６５＜Ｎ2
【００３０】
また条件（３）においてＮ3 が下限値の１．５５を超えると一次結像面以降の光路長が大になり、そのため接眼光学系の焦点距離が長くなり、ファインダー像が小さくなり好ましくない。またＮ3 の値が１．６０以上であれば一層望ましく、１．６５以上であることが最も望ましい。つまり下記条件（３−２）あるいは条件（３−３）を満足することが望ましい。
（３−２）    １．６０＜Ｎ3
（３−３）    １．６５＜Ｎ3
【００３１】
条件（４）は撮像素子の有効撮像領域の対角長と接眼光学系の焦点距離ｆe との比を規定したものである。
【００３２】
条件（４）の下限の０．４を超えるとファインダー像が小さくなり好ましくない。また上限の０．８を超えるとファインダー像は大きくなり好ましいが、現実に存在する高屈折率媒質材料を用いて視度調節のためのスペースを設けないようにしても周辺の光線がけられ好ましくない。
【００３３】
尚、条件（４）の代りに下記条件（４−１）を満足すれば一層望ましい。更に下記条件（４−２）を満足すれば最も好ましい。
（４−１）    ０．４３＜Ｄ／ｆe ＜０．７５
（４−２）    ０．４５＜Ｄ／ｆe ＜０．７
【００３４】
次に、本発明のファインダーの第２の構成において視野の短辺側に光路を折り曲げるためには、下記条件（５）、（６）を満足することが望ましい。
（５）    １．０＜Ｌ20／Ｌ10＜２．０
（６）    ０．６＜Ｌ12／Ｌ11＜１．２
ただし、Ｌ10はダハ面による反射面を含むプリズム系の入射面から射出面までの光軸上の実距離、Ｌ20は一次結像面以降のプリズム系の入射面から射出面までの光軸上の実距離、Ｌ11はダハ面による反射面を含むプリズム系の入射面からダハ稜線までの光軸上の実距離、Ｌ12はダハ稜線から射出面までの軸上の実距離である。
【００３５】
条件（５）はダハ面による反射面を含むプリズム系の入射面から射出面までの光軸上の実距離Ｌ10と、一次結像面以降のプリズム系の入射面から射出面までの光軸上の実距離Ｌ20との比を規定したものである。
【００３６】
条件（５）の上限の２．０を超えると一次結像面以降の光路長が長くなり、そのため接眼光学系の焦点距離が長くなり、ファインダー像が小さくなり好ましくない。また下限の１．０を超えると現実に存在する高屈折率媒質材料を用いかつ視度調節のためのスペースを設けないようにしても周辺の光線がけられ好ましくない。
【００３７】
条件（６）はダハ面による反射面を含むプリズム系の入射面からダハ稜線までの光軸上の実距離Ｌ11とダハ稜線から射出面までの光軸上の実距離Ｌ12との比を規定したものである。
【００３８】
条件（６）の上限値の１．２を超えるとダハ面による反射面を含むプリズム系の入射面にて周辺光束がけられやすくなり、下限値の０．６を超えるとダハ面による反射面を含むプリズム系の射出面にて周辺光束がけられやすくなる。
【００３９】
また、条件（５）、条件（６）の代りに下記条件（５−１）、条件（６−１）あるいは条件（５−２）、条件（６−２）を満足すれば一層好ましい。
（５−１）    １．２＜Ｌ20／Ｌ10＜１．９
（６−１）    ０．６５＜Ｌ12／Ｌ11＜１．０
（５−２）    １．４＜Ｌ20／Ｌ10＜１．８
（６−２）    ０．７＜Ｌ12／Ｌ11＜０．９
【００４０】
前記のように、本発明のファインダーの第２の構成において像正立プリズムの媒質の屈折率は高いほど好ましいが、光路分割後一次結像までの撮像側の媒質の屈折率とファインダー側の媒質の屈折率との差が大きすぎるとファインダーの見えに支障をきたすことがある。
【００４１】
通常、撮像側の媒質の屈折率に対し収差の最適化を行なうためにファインダー側の媒質屈折率がそれと大きく異なると、ファインダー側の収差は最適状態から乖離する。そのため下記条件（７）を満足することが望ましい。
0003924394.tif 000002
ただし、Ｎ0 は光路分割プリズムの媒質の屈折率、Ｎ2 はダハ面による反射面を含むプリズム系の屈折率、Ｎ3は一次結像面以降のプリズム系の屈折率である。
【００４２】
一次結像面に合焦確認手段を導入しない場合、接眼光学系により前記収差をある程度補正できるが、合焦確認手段を導入する場合は、前記条件（７）を満足することが重要である。
【００４３】
電子カメラ用光学系は、ほぼテレセントリックのため主光線収差の乖離は少ないが球面収差やコマ収差は影響を受け撮像素子とのピントずれの原因になりやすい。
【００４４】
上記条件（７）の代りに下記条件（７−１）を満足すればより望ましく、また条件（７−２）を満足すれば一層望ましい。
0003924394.tif 000003
【００４５】
本発明のファインダーは、光路分割部材が二つのガラスブロックの間に平面状半透膜を挟み接合したプリズムにて構成されており、半透膜の法線は、結像光学系の光軸に対してなす角を４０°以下にした方がよい。それは、半透膜でのエネルギーロスをなくすために半透膜を誘電体にて構成しており、そのため偏光の影響を例えば被写体の光沢がファインダーと撮影側にて食い違うのを避けるためである。
【００４６】
また、本発明のファインダーにおいて、結像光学系から光路分割プリズムの入射面へ入射し半透膜にて反射した撮像光路は、入射面にて全反射した後に光路分割プリズムの撮像素子側の射出面より射出するようにしている。ここで、前記の半透膜にて反射した撮像側光路は、撮影レンズに当たらないようにもう一度反射するようにした方がよい。また、この撮影レンズによる撮像素子上に形成される像は鏡像ではなく正像になることが好ましい。また入射面にて反射した光の光量を十分に確保するために反射面は全反射面にすることが望ましい。更に半透膜での反射率は５０％以上であることが望ましい。
【００４７】
【発明の実施の形態】
次に本発明のファインダーの実施の形態について述べる。
【００４８】
本発明の第１の実施の形態は図１に示す通りであり、また第２の実施の形態は図２に示す通りである。
0003924394.tif 000004
【００４９】
0003924394.tif 000005
【００５０】
図１に示す第１の実施の形態のファインダーは、図示するようにカメラの結像光学系（レンズＬは結像光学系の最も像側のレンズ）から射出する光束が光分割プリズムＰＳの半透過膜ＨＭにより反射されて撮像素子側（光軸ＡＸ１の方向）へ向かう光束と半透過膜ＨＭを透過するファインダー側（光軸ＡＸ２の方向）へ向かう光束とに分割される。これら光束のうち、ファインダー側の光束は、平面状の反射面Ｍ１にて反射され、レンズＬ１を通り、ダハ面を有するプリズムＰＤに入射面Ｒ１から入射しプリズムＰＤ内で平面Ｒ２にて反射しダハ面Ｒ３にて更に反射され射出面Ｒ４より射出し接眼光学系Ｅを通る。尚ＥＰはアイポイントである。
【００５１】
この実施の形態のファインダーは、ファインダー系中の光分割プリズムＰＳと一次結像面ＩＭ１との間に反射面Ｍ１が配置され、又一次結像面ＩＭ１以降には像正立のためのプリズムＰＤと接眼光学系Ｅが配置され、プリズムＰＤが入射面Ｒ１と平面の反射面Ｒ２とダハ面による反射面Ｒ３と射出面Ｒ４を有し、プリズムＰＤの入射面Ｒ１から反射面Ｒ２の間の光路（光軸ＡＸ３）とダハ面による反射面Ｒ３と射出面Ｒ４との間の光路（光軸ＡＸ４）とがプリズムＰＤ内において交差している。
【００５２】
また、このファインダー系は、データ中に示すようにＮ1 ＝１．６９６８、Ｄ／ｆe ＝０．４０８であって条件（１）、（２）を満足する。
【００５３】
この実施の形態のファインダーを撮像光学系に接続した電子カメラ全体の光学系の構成は、図３に示す通りで、ＬＳが撮像光学系、ＣＣＤは撮像素子である。
【００５４】
図２は本発明のファインダーの第２の実施の形態を示す図である。この図に示すように、撮像光学系よりの光束（Ｌは撮像光学系の最も像側のレンズ）は、光分割プリズムＰＳの半透過膜ＨＭにて反射された光束は撮像系へ、また半透過膜ＨＭを透過した光束はファインダー系へ向かう。
【００５５】
ファインダー系へ向かった光束は、ダハ面による反射面ＭＤを有するプリズムＰＤの反射面ＭＤにて反射した後レンズＬ１を通り、更に二つの平面の反射面を有するプリズムＰＢを通り接眼光学系Ｅを通過する。
【００５６】
この第２の実施の形態は光分割プリズムＰＳと一次結像面ＩＭ１との間にダハ面による反射面ＭＤを有するプリズムＰＤが配置され、また一次結像面ＩＭ１以降には、プリズムＰＢと接眼光学系Ｅが配置されている。そして、プリズムＰＢ内で光路（光軸ＡＸ５、ＡＸ６）が交差しており、撮像光学系の光軸ＡＸ１とダハ稜線ＲＤとを含む平面と一次結像面ＩＭ１の有効視野の長辺とがほぼ直交している。
【００５７】
この実施の形態は、Ｎ2＝１．６３９３０、Ｎ3＝１．６３９３０、Ｄ／ｆe＝０．４７２０で、条件（３）、（４）を満足する。
【００５８】
本発明において、特許請求の範囲に記載するもののほか、次の各項に記載する構成のファインダーもその目的を達成し得る。
【００５９】
（１）特許請求の範囲の請求項１に記載するファインダーで、条件（１）の代りに下記条件（１−１）を満足することを特徴とするファインダー。
（１−１）    １．６０＜Ｎ1
【００６０】
（２）特許請求の範囲の請求項１あるいは前記の（１）の項に記載するファインダーで、条件（２）の代りに下記条件（２−１）を満足することを特徴とするファインダー。
（２−１）    ０．３３＜Ｄ／ｆe ＜０．５５
【００６１】
（３）特許請求の範囲の請求項１あるいは前記の（１）の項に記載するファインダーで、条件（２）の代りに下記条件（２−２）を満足することを特徴とするファインダー。
（２−２）    ０．３５＜Ｄ／ｆe ＜０．５
【００６２】
（４）特許請求の範囲の請求項１あるいは、前記の（１）、（２）又は（３）に記載するファインダーで、下記条件（８）、（９）、（１０）のうちの少なくとも一つの条件を満足することを特徴とするファインダー。
（８）      ０．６＜Ｌ／（ｎp ×ｆe ）＜１．４
（９）      ０．８＜Ｌ22／Ｌ21＜２．０
（１０）    ２０°＜θ1 ＜３５°
【００６３】
（５）前記の（４）の項に記載するファインダーで、条件（８）、（９）、（１０）の代りに下記条件（８−１）、（９−１）、（１０−１）を満足することを特徴とするファインダー。
（８−１）      ０．７＜Ｌ／（ｎp ×ｆe ）＜１．２
（９−１）      ０．９＜Ｌ22／Ｌ21＜１．７
（１０−１）    ２２°＜θ1 ＜３３°
【００６４】
（６）前記の（４）の項に記載するファインダーで、条件（８）、（９）、（１０）の代りに下記条件（８−２）、（９−２）、（１０−２）を満足することを特徴とするファインダー。
（８−２）      ０．８＜Ｌ／（ｎp ×ｆe ）＜１．０
（９−２）      １．０＜Ｌ22／Ｌ21＜１．５
（１０−２）    ２４°＜θ1 ＜３２°
【００６５】
（７）特許請求の範囲の請求項２に記載するファインダーで、条件（４）の代りに下記条件（４−１）を満足することを特徴とするファインダー。
（４−１）    ０．４３＜Ｄ／ｆe ＜０．７５
【００６６】
（８）特許請求の範囲の請求項２に記載するファインダーで、条件（４）の代りに下記条件（４−２）を満足することを特徴とするファインダー。
（４−２）    ０．４５＜Ｄ／ｆe ＜０．７
【００６７】
（９）特許請求の範囲の請求項２あるいは前記の（７）又は（８）の項に記載するファインダーで、下記条件（５）、（６）を満足することを特徴とするファインダー。
（５）    １．０＜Ｌ20／Ｌ10＜２．０
（６）    ０．６＜Ｌ12／Ｌ11＜１．２
【００６８】
（１０）前記の（９）の項に記載するファインダーで、条件（５）、（６）の代りに下記条件（５−１）、（６−１）を満足することを特徴とするファインダー。
（５−１）    １．２＜Ｌ20／Ｌ10＜１．９
（６−１）    ０．６５＜Ｌ12／Ｌ11＜１．０
【００６９】
（１１）前記の（９）の項に記載するファインダーで、条件（５）、（６）の代りに下記条件（５−２）、（６−２）を満足することを特徴とするファインダー。
（５−２）    １．４＜Ｌ20／Ｌ10＜１．８
（６−２）    ０．７＜Ｌ12／Ｌ11＜０．９
【００７０】
（１２）特許請求の範囲の請求項２あるいは前記の（７）、（８）、（９）、（１０）又は（１１）の項に記載するファインダーで、下記条件（７）を満足することを特徴とするファインダー。
0003924394.tif 000006
【００７１】
（１３）前記の（１２）の項に記載するファインダーで、条件（７）の代りに下記条件（７−１）を満足することを特徴とするファインダー。
0003924394.tif 000007
【００７２】
（１４）前記の（１２）の項に記載するファインダーで、条件（７）の代りに下記条件（７−２）を満足することを特徴とするファインダー。
0003924394.tif 000008
【００７３】
（１５）特許請求の範囲の請求項１又は２あるいは前記の（１）、（２）、（３）、（４）、（５）、（６）、（７）、（８）、（９）、（１０）、（１１）、（１２）、（１３）又は（１４）の項に記載するファインダーで、光路分割プリズムが二つのガラスブロックの間に平面状半透膜を挟み接合した構成で、半透膜の法線が結像光学系の光軸に対して４０°以下であることを特徴とするファインダー。
【００７４】
（１６）前記の（１５）の項に記載するファインダーで、光路分割プリズムの入射面より入射し半透膜にて反射された光束の光路が入射面にて全反射した後に光路分割プリズムの撮像素子側の射出面より射出するようにしたことを特徴とするファインダー。
【００７５】
（１７）前記の（１５）又は（１６）に記載するファインダーで、半透膜の反射率が５０％以上であることを特徴とするファインダー。
【００７６】
【発明の効果】
本発明によれば、コンパクトであり、高倍率で広視野角の接眼光学系に対応した像正立系が可能になり、一次結像の小さな一眼レフレックス方式の電子カメラに好適なファインダーを実現し得る。
【図面の簡単な説明】
【図１】本発明の第１の実施の形態のファインダーの断面図
【図２】本発明の第２の実施の形態のファインダーの断面図
【図３】前記第１の実施の形態のファインダーを撮像光学系に用いた光学系全体の断面図
【図１】
0003924394.tif 000009
【図２】
0003924394.tif 000010
【図３】
0003924394.tif 000011